(57)【要約】  【課題】可動底壁部を水平姿勢に保持して可動底壁部の上下方向の位置を円滑に安定して調節可能にし、可動底壁部を調節後の位置に水平姿勢に確実に保持して収容容器の安定性を高め、操作性を良くして可動底壁部の上下方向の位置調節を簡単に行い、対応可能な容器の背の高さ範囲を大きくすることができる、容器保持装置を提供する。  【解決手段】  容器保持装置３は、固定周壁部１１、可動底壁部１２、位置調節機構２３を備え、位置調節機構１３は、センターコンソール１の表面側に操作可能に配置された操作部１５、センターコンソール１の内部に外部から隠蔽された状態に配設され、可動底壁部１２を支持した状態で、操作部１５と可動底壁部１２とを連動連結して操作部１５の操作量に応じた変位量だけ可動底壁部１２を昇降させる昇降機構２０を有する。【選択図】  図２
2007196884.tif 000002
【特許請求の範囲】
【請求項１】
車両のセンターコンソールの上面から下方へ凹む容器収容空間を有し容器を上側から収容可能な容器保持装置において、
前記容器収容空間の少なくとも一部を形成する固定周壁部および可動底壁部と、この可動底壁部を水平姿勢に保持して可動底壁部の上下方向の位置を調節可能な位置調節機構とを備え、
前記位置調節機構は、
前記センターコンソールの表面側に操作可能に配置された操作部と、
前記センターコンソールの内部に外部から隠蔽された状態に配設され、可動底壁部を支持した状態で、操作部と可動底壁部とを連動連結して操作部の操作量に応じた変位量だけ可動底壁部を昇降させる昇降機構と、
を備えたことを特徴とする容器保持装置。
【請求項２】
前記位置調節機構は、可動底壁部の上下方向の位置を無段階的に調節して保持可能に構成されたことを特徴とする請求項１に記載の容器保持装置。
【請求項３】
前記操作部がセンターコンソールに支軸を介して回動可能に支持されたダイヤルからなり、
前記昇降機構は、固定周壁部の外周外側に鉛直向きに配設されてセンターコンソールに回動自在に支持され且つダイヤルに連動連結されたスクリューシャフトと、可動底壁部に固定されスクリューシャフトが貫通状に螺合されるネジ孔を有する底壁支持部とを有することを特徴とする請求項１又は２に記載の容器保持装置。
【請求項４】
前記支軸がセンターコンソールの内部に水平に配設されて、ダイヤルの上部がセンターコンソールの上壁に形成された切欠穴から外部へ露出し、
前記昇降機構は、ダイヤルと一体的に支軸回りに回動する第１傘歯車と、スクリューシャフトの上端部に取り付けられ第１傘歯車と噛合された第２傘歯車とを有することを特徴とする請求項３に記載の容器保持装置。
【請求項５】
前記容器収容空間が並設状に複数設けられ、
前記位置調節機構は、複数の容器収容空間に共通の１つの操作部及び昇降機構を有することを特徴とする請求項１〜４の何れかに記載の容器保持装置。
【請求項６】
前記容器収容空間が並設状に複数設けられ、
前記位置調節機構は、複数の容器収容空間に共通の１つの操作部と、複数の容器収容空間に夫々対応する複数の昇降機構と、操作部を複数の昇降機構の何れかに択一的に接続するように切り換える接続切換機構とを有することを特徴とする請求項１〜４の何れかに記載の容器保持装置。
【請求項７】
前記接続切換機構は、更に、操作部を同時に複数の昇降機構に接続するように切り換え可能に構成されたことを特徴とする請求項６に記載の容器保持装置。
【請求項８】
前記操作部がセンターコンソールの上壁に形成された長穴にスライド可能に係合してスライド方向へ細長いスライダを有し、
前記昇降機構は、スライダの下面に形成されたラックと、センターコンソールに水平軸回りに回動自在に支持されてラックに噛合されたピニオンと、このピニオンの外周近傍部に連結された水平なピンと、このピンが係合する水平方向に長い長孔を有し可動底壁部に固定された底壁支持部とを有することを特徴とする請求項１に記載の容器保持装置。
【請求項９】
前記可動底壁部の外周部に上方へ立ち上がるように固定されて、固定周壁部に重複状に嵌合された可動周壁部を有することを特徴とする請求項８に記載の容器保持装置。
【請求項１０】
車両のセンターコンソールの上面から下方へ凹む容器収容空間を有し容器を上側から収容可能な容器保持装置において、
前記容器収容空間を形成する固定周壁部及び可動底壁部と、この可動底壁部の上下方向の位置を調節可能な位置調節機構とを備え、
前記位置調節機構は、
前記可動底壁部を水平姿勢に保持して昇降自在にガイドするガイド機構と、
前記可動底壁部を把持して昇降可能に操作する操作部と、
前記固定周壁部の高さ位置が異なる複数位置に内方突出状に且つ可動底壁部の外周部を夫々係止可能に形成された複数の係止部と、
前記可動底壁部の外周部に係止部が通過可能に形成された切欠部と、
を備えたことを特徴とする容器保持装置。
【請求項１１】
前記ガイド機構が省略され、固定周壁部の複数の高さ位置の各々に複数の係止部が形成され、可動底壁部の外周部に各高さ位置の複数の係止部が通過可能な複数の切欠部が形成されたことを特徴とする請求項１０に記載の容器保持装置。
【発明の詳細な説明】
【技術分野】
【０００１】
本発明は、車両のセンターコンソールの上面から下方へ凹む容器収容空間を有し、この容器収容空間の底壁部の上下方向の位置を調節可能な容器保持装置に関するものである。
【背景技術】
【０００２】
従来、自動車等の車両において、カップ、缶、ペットボトル等の容器を収容し保持するために、センターコンソールに、その上面から下方へ凹むように、容器収容空間を形成する有底筒状のカップホルダ（周壁部と底壁部）を設けた構造が周知である。
【０００３】
一般に、カップホルダは、センターコンソールに一体的に設けられ、例えば、所定の容器（例えば、 350mlの缶）を基準に、カップホルダに収容された容器（以下、収容容器という）の安定性を高めると共に収容容器を取り上げ易くするために、収容容器がカップホルダの上側へ適度に突出するように、容器収容空間の深さが設定されている。また、センターコンソールにはシフトレバーが上方突出状に設けられているため、収容容器がシフトレバーの操作の邪魔にならないように、底壁部の上下方向の位置を設定する必要がある。
【０００４】
一方、特許文献１のように、本願出願人が実用化しつつある容器保持装置では、センターコンソールに本体部材が固定され、この本体部材に上下貫通状の平面視長円形の孔を形成する固定周壁部が設けられ、この固定周壁部の内側に１対のカップホルダ部（可動周壁部と可動底壁部）を有する収容部材が収容され、この本体部材の固定周壁部と収容部材とにより容器収容空間が形成されている。
【０００５】
本体部材の固定周壁部の対向する１対の内面は、それらの間隔が下方程小さくなるテーパ面に形成され、これらテーパ面に収容部材が内嵌支持されて、収容部材が下位置に保持される。本体部材には蓋部材が可動に連結され、この蓋部材が、容器収容空間を塞ぐ水平な閉位置と、この閉位置から９０度回動して容器収容空間を開放する鉛直な開位置と、この開位置から下方へ移動してセンターコンソールの内部に収納される収納位置とに亙って切り換えられ、蓋部材が閉位置と開位置のときに、収容部材が下位置に保持される。
【０００６】
本体部材の固定周壁部の下端部に揺動レバーの長さ方向途中部が回動可能に連結され、蓋部材が開位置から収納位置へ下降されると、この蓋部材により揺動レバーの基端部が下方へ押動されて、揺動レバーの先端部が収容部材に下側から当接した状態で上昇して収容部材を上方へ押動し、蓋部材が収納位置に保持されると揺動レバーの位置が固定されて、収容部材が揺動レバーの先端部により下方支持された状態で上位置に保持される。
【特許文献１】特開２００２−６７８０９号公報
【発明の開示】
【発明が解決しようとする課題】
【０００７】
車両のセンターコンソールに、カップホルダを一体的に設けて容器収容空間を形成した従来の構造では、底壁部の上下方向の位置（容器収容空間の深さ）が一定であるため、カップホルダに背の高い容器を収容した場合、その収容容器がカップホルダの上側へ大きく突出して、収容容器の安定性が低下し、収容容器がシフトレバーの操作の邪魔になり、逆に、カップホルダに背の低い容器を収容した場合、その収容容器がカップホルダの上側へ殆ど突出しなくなり、収容容器を取り上げにくくなるという虞がある。
【０００８】
特許文献１の容器保持装置では、上記課題を改善できるが、次のような問題がある。収容部材を下位置にして使用する場合、蓋部材が開位置になるため、この開位置の蓋部材が、容器を収容したり収容容器を取り上げたりする際に邪魔になるため使い勝手が悪く、見栄えも悪い。収容部材の上下方向の位置を切り換えるために、比較的大型の蓋部材を大きく移動させなければならないため、操作性が悪い。
【０００９】
収容部材は、何らガイドされずに、揺動レバーの先端部により上方へ押動されて上昇し、自重により（或いは容器に押されて）下降するため、また、収容部材は、下位置では固定周壁部の対向する１対のテーパ内面に内嵌支持され、上位置では揺動レバーの先端部のみにより下方支持されるため、収容部材を水平姿勢に保持して収容部材の上下方向の位置を調節することが難しい。つまり、収容部材の上下方向の位置調節を円滑に行えない虞もあり、収容部材を下位置と上位置とに水平姿勢に確実に保持することが難しいため、収容容器の安定性が低下する。収容部材を下位置と上位置の２位置にしか切り換えて保持することができないため、対応可能な容器の背の高さ範囲を大きくすることに限度がある。
【００１０】
本発明の目的は、容器保持装置において、可動底壁部を水平姿勢に保持して可動底壁部の上下方向の位置を円滑に安定して調節可能にすること、可動底壁部を調節後の位置に水平姿勢に確実に保持して収容容器の安定性を高めること、操作性を良くして可動底壁部の上下方向の位置調節を簡単に行えるようにすること、対応可能な容器の背の高さ範囲を大きくすること、等である。
【課題を解決するための手段】
【００１１】
請求項１の容器保持装置は、車両のセンターコンソールの上面から下方へ凹む容器収容空間を有し容器を上側から収容可能な容器保持装置において、前記容器収容空間の少なくとも一部を形成する固定周壁部及び可動底壁部と、この可動底壁部を水平姿勢に保持して可動底壁部の上下方向の位置を調節可能な位置調節機構とを備え、前記位置調節機構は、前記センターコンソールの表面側に操作可能に配置された操作部と、前記センターコンソールの内部に外部から隠蔽された状態に配設され、可動底壁部を支持した状態で、操作部と可動底壁部とを連動連結して操作部の操作量に応じた変位量だけ可動底壁部を昇降させる昇降機構とを備えたことを特徴とする。
【００１２】
この容器保持装置では、固定周壁部及び可動底壁部により、センターコンソールの上面から下方へ凹む容器収容空間の少なくとも一部が形成され、収容された容器（収容容器）は、可動底壁部に載置支持され、転倒しないように固定周壁部に囲まれて保持される。位置調節機構により、収容する容器の背の高さに応じて、可動底壁部を水平姿勢に保持して可動底壁部の上下方向の位置を調節することができる。
【００１３】
背の低い容器を収容する場合、可動底壁部の上下方向の位置を高くして、容器収容空間の深さを小さくし、背の高い容器を収容する場合、可動底壁部の上下方向の位置を低くして、容器収容空間の深さを大きくして、収容容器を容器収容空間の上側に適度に突出させて、収容容器の安定性を高めると共に収容容器を取り上げ易くすることができ、収容容器がシフトレバーの操作の邪魔にならないようにすることができる。
【００１４】
位置調節機構は操作部と昇降機構を備え、操作部はセンターコンソールの表面側に操作可能に配置され、この操作部を操作することで昇降機構が作動する。昇降機構はセンターコンソールの内部に外部から隠蔽された状態に配設され、この昇降機構により、可動底壁部が支持された状態で、操作部と可動底壁部とが連動連結され、操作部の操作量に応じた変位量だけ可動底壁部が昇降されるため、操作部を操作することで、可動底壁部を水平姿勢に保持して可動底壁部の上下方向の位置を調節することができる。
【００１５】
ここで、請求項１の発明に次の構成を採用可能である。
前記位置調節機構は、可動底壁部の上下方向の位置を無段階的に調節して保持可能に構成される（請求項２）。前記操作部がセンターコンソールに支軸を介して回動可能に支持されたダイヤルからなり、前記昇降機構は、固定周壁部の外周外側に鉛直向きに配設されてセンターコンソールに回動自在に支持され且つダイヤルに連動連結されたスクリューシャフトと、可動底壁部に固定されスクリューシャフトが貫通状に螺合されるネジ孔を有する底壁支持部とを有する（請求項３）。
【００１６】
前記支軸がセンターコンソールの内部に水平に配設されて、ダイヤルの上部がセンターコンソールの上壁に形成された切欠穴から外部へ露出し、前記昇降機構は、ダイヤルと一体的に支軸回りに回動する第１傘歯車と、スクリューシャフトの上端部に取り付けられ第１傘歯車と噛合された第２傘歯車とを有する（請求項４）。
【００１７】
前記容器収容空間が並設状に複数設けられ、前記位置調節機構は、複数の容器収容空間に共通の１つの操作部及び昇降機構を有する（請求項５）。前記容器収容空間が並設状に複数設けられ、前記位置調節機構は、複数の容器収容空間に共通の１つの操作部と、複数の容器収容空間に夫々対応する複数の昇降機構と、操作部を複数の昇降機構の何れかに択一的に接続するように切り換える接続切換機構とを有する（請求項６）。前記接続切換機構は、更に、操作部を同時に複数の昇降機構に接続するように切り換え可能に構成する（請求項７）。
【００１８】
前記操作部がセンターコンソールの上壁に形成された長穴にスライド可能に係合してスライド方向へ細長いスライダを有し、前記昇降機構は、スライダの下面に形成されたラックと、センターコンソールに水平軸回りに回動自在に支持されてラックに噛合されたピニオンと、このピニオンの外周近傍部に連結された水平なピンと、このピンが係合する水平方向に長い長孔を有し可動底壁部に固定された底壁支持部とを有する（請求項８）。前記可動底壁部の外周部に上方へ立ち上がるように固定されて、固定周壁部に重複状に嵌合された可動周壁部を有する（請求項９）。
【００１９】
請求項１０の容器保持装置は、車両のセンターコンソールの上面から下方へ凹む容器収容空間を有し容器を上側から収容可能な容器保持装置において、前記容器収容空間を形成する固定周壁部及び可動底壁部と、この可動底壁部の上下方向の位置を調節可能な位置調節機構とを備え、前記位置調節機構は、前記可動底壁部を水平姿勢に保持して昇降自在にガイドするガイド機構と、前記可動底壁部を把持して昇降可能に操作する操作部と、前記固定周壁部の高さ位置が異なる複数位置に内方突出状に且つ可動底壁部の外周部を夫々係止可能に形成された複数の係止部と、前記可動底壁部の外周部に係止部が通過可能に形成された切欠部とを備えたことを特徴とする。
【００２０】
ここで、請求項１０の発明に次の構成を採用可能である。前記ガイド機構が省略され、固定周壁部の複数の高さ位置の各々に複数の係止部が形成され、可動底壁部の外周部に各高さ位置の複数の係止部が通過可能な複数の切欠部が形成される（請求項１１）。
【発明の効果】
【００２１】
請求項１の容器保持装置によれば、位置調節機構を設けたので、収容する容器の背の高さに応じて、可動底壁部を水平姿勢に保持して可動底壁部の上下方向の位置（容器収容空間の深さ）を調節して、収容された容器（収容容器）を容器収容空間の上側に適度に突出させて、収容容器の安定性を高めると共に収容容器を取り上げ易くし、収容容器がシフトレバーの操作の邪魔にならないようにすることができる。特に、位置調節機構において、昇降機構により、可動底壁部を支持した状態で、操作部と可動底壁部とを連動連結して、操作部の操作量に応じた変位量だけ可動底壁部を昇降させるため、操作部を操作することで、可動底壁部を水平姿勢に保持して可動底壁部の上下方向の位置を円滑に安定して調節でき、依って、可動底壁部を調節後の位置に水平姿勢に確実に保持して収容容器の安定性を高めることができる。しかも、操作部をセンターコンソールの表面側に操作可能に配置したので、操作性を良くして可動底壁部の上下方向の位置調節を簡単に行うことができ、昇降機構をセンターコンソールの内部に外部から隠蔽した状態に配設したので、見栄えが良い外観としコンパクトな構造とすることができる。
【００２２】
請求項２の容器保持装置によれば、位置調節機構を、可動底壁部の上下方向の位置を無段階的に調節して保持可能に構成したので、収容する容器の種々の背の高さに応じて、可動底壁部の上下方向の位置を適切な位置に確実に調節して、可動底壁部を調節後の位置に水平姿勢に確実に保持でき、対応可能な容器の背の高さ範囲を大きくすることができる。
【００２３】
請求項３の容器保持装置によれば、操作部がセンターコンソールに支軸を介して回動可能に支持されたダイヤルからなり、昇降機構は、固定周壁部の外周外側に鉛直向きに配設されてセンターコンソールに回動自在に支持され且つダイヤルに連動連結されたスクリューシャフトと、可動底壁部に固定されスクリューシャフトが貫通状に螺合されるネジ孔を有する底壁支持部とを有するので、ダイヤルを回動操作することで、スクリューシャフトを回動させて、スクリューシャフトとネジ孔とのネジ機能によって、可動底壁部を確実に昇降させ、可動底壁部が自重や収容容器の重さにより下降することを防止できるので、別途ストッパ手段を設けなくても、可動底壁部を調節後の位置に確実に保持できる。故に、操作性を高めることができ、構造を簡単化しコンパクトにすることができる。
【００２４】
請求項４の容器保持装置によれば、支軸をセンターコンソールの内部に水平に配設して、ダイヤルの上部をセンターコンソールの上壁に形成された切欠穴から外部へ露出させ、昇降機構は、ダイヤルと一体的に支軸回りに回動する第１傘歯車と、スクリューシャフトの上端部に取り付けられ第１傘歯車と噛合された第２傘歯車とを有するので、ダイヤルを操作し易く且つ見栄え良く配置でき、このダイヤルの水平軸心回りの回動をスクリューシャフトの鉛直軸心回りの回動に確実に変換できる。
【００２５】
請求項５の容器保持装置によれば、容器収容空間を並設状に複数設け、位置調節機構は、複数の容器収容空間に共通の１つの操作部及び昇降機構を有するので、複数の容器収容空間に対して位置調節機構の構造を簡単化し、共通の操作部を操作することで、複数の容器収容空間の可動底壁部を同時に昇降させて、これら可動底壁部の上下方向の位置を一度に調節できる。
【００２６】
請求項６の容器保持装置によれば、容器収容空間を並設状に複数設けられ、位置調節機構は、複数の容器収容空間に共通の１つの操作部と、複数の容器収容空間に夫々対応する複数の昇降機構と、操作部を複数の昇降機構の何れかに択一的に接続するように切り換える接続切換機構とを有するので、共通の操作部と複数の容器収容空間のうち所望の１つ容器収容空間に対応する昇降機構とを接続して、共通の操作部を操作することで、所望の１つの容器収容空間の可動底壁部の上下方向の位置だけを調節できる。
【００２７】
請求項７の容器保持装置によれば、接続切換機構を、更に、操作部を同時に複数の昇降機構に接続するように切り換え可能に構成したので、共通の操作部を操作することで、複数の容器収容空間の可動底壁部を同時に昇降させ、これら可動底壁部の上下方向の位置を一度に調節することもできる。
【００２８】
請求項８の容器保持装置によれば、操作部がセンターコンソールの上壁に形成された長穴にスライド可能に係合してスライド方向へ細長いスライダを有し、昇降機構は、スライダの下面に形成されたラックと、センターコンソールに水平軸回りに回動自在に支持されてラックに噛合されたピニオンと、このピニオンの外周近傍部に連結された水平なピンと、このピンが係合する水平方向に長い長孔を有し可動底壁部に固定された底壁支持部とを有するので、スライダをスライド操作することで、ピニオンを回動させて、可動底壁部の水平方向の位置を変化させずに、可動底壁部を確実に昇降させ、故に、操作性を高めることができる。
【００２９】
請求項９の容器保持装置によれば、可動底壁部の外周部に上方へ立ち上がるように固定されて、固定周壁部に重複状に嵌合された可動周壁部を有するので、固定周壁部、可動周壁部、可動底壁部の間の隙間が露見することを防止できる。
【００３０】
請求項１０の容器保持装置によれば、特に、位置調節機構は、可動底壁部を水平姿勢に保持して昇降自在にガイドするガイド機構と、可動底壁部を把持して昇降可能に操作する操作部と、前記固定周壁部の高さ位置が異なる複数位置に内方突出状に且つ可動底壁部の外周部を夫々係止可能に形成された複数の係止部と、可動底壁部の外周部に係止部が通過可能に形成された切欠部とを備えたので、簡単な構造で、可動底壁部を水平姿勢に保持して可動底壁部の上下方向の位置を円滑に安定して調節でき、可動底壁部を調節後の位置に水平姿勢に確実に保持して収容容器の安定性を高めることができる。その他の基本的な効果は請求項１の効果と同様である。
【００３１】
請求項１１の容器保持装置によれば、ガイド機構を省略し、固定周壁部の複数の高さ位置の各々に複数の係止部を形成し、可動底壁部の外周部に各高さ位置の複数の係止部が通過可能な複数の切欠部を形成したので、より簡単な構造にして、可動底壁部の上下方向の位置を簡単に調節でき、可動底壁部を調節後の位置に水平姿勢に確実に保持できる。
【発明を実施するための最良の形態】
【００３２】
本発明の容器保持装置は、車両のセンターコンソールの上面から下方へ凹む容器収容空間を有し容器を上側から収容可能なものであり、容器収容空間の少なくとも一部を形成する固定周壁部及び可動底壁部と、この可動底壁部を水平姿勢に保持して可動底壁部の上下方向の位置を調節可能な位置調節機構とを備え、位置調節機構は、センターコンソールの表面側に操作可能に配置された操作部と、センターコンソールの内部に外部から隠蔽され状態に配設され、可動底壁部を支持した状態で、操作部と可動底壁部とを連動連結して操作部の操作量に応じた変位量だけ可動底壁部を昇降させる昇降機構とを備えている。
【実施例１】
【００３３】
図１に示すように、自動車等の車両には、運転席と助手席との間に前後方向に延びる合成樹脂製のセンターコンソール１が設けられ、このセンターコンソール１に、シフトレバー２が上方突出状に設けられると共に、本発明の容器保持装置３が設けられている。
【００３４】
例えば、センターコンソール１の上壁１ａの前部にシフトレバープレート４が装着され、シフトレバー２は、シフトレバープレート４の前後方向に長い長孔４ａを通って上方へ突出し、運転手により上部の握り部２ａが掴まれて前後方向にシフト操作され、自動変速機の変速レンジが複数の変速レンジ（Ｐ、Ｒ、Ｎ、Ｄ、Ｓ、Ｌ）の何れかに択一的に切り換えられる。このシフトレバー２の後側に容器保持装置３が設けられている。
【００３５】
図１〜図３に示すように、容器保持装置３は、センターコンソール１の上面から下方へ凹むように左右に並設された１対の容器収容空間１０と、１対の容器収容空間１０を形成する合成樹脂製の１対の円筒状の固定周壁部１１及び円板状の可動底壁部１２と、１対の可動底壁部１２を水平姿勢に保持して１対の可動底壁部１２の上下方向の位置を同時に調節可能な位置調節機構１３とを備えている。
【００３６】
センターコンソール１は、上壁１ａのうちシフトレバー２の後側に位置する部分に開口部１ｂが形成され、この開口部１ｂに嵌合装着された合成樹脂製の収容部材５を備えている。収容部材５は容器保持装置３に含まれるものであり、この収容部材５に左右１対の固定周壁部１１が一体形成されている。
【００３７】
収容部材５は、開口部１ｂの周縁部と同じ外周形状の上壁６を有し、開口部１ｂに嵌合された状態で、上壁６の外周縁部が開口部１ｂの周縁部に載置状に固定されている。１対の固定周壁部１１は、それらの上端が収容部材５の上壁６に繋がって下方へ延び、１対の固定周壁部１１の下端部には合成樹脂製の円板状の蓋状部材７が夫々固定されている。
【００３８】
各可動底壁部１２は固定周壁部１１の内周形状と同じ外周形状に形成され、１対の可動底壁部１２は１対の固定周壁部１１に夫々昇降自在に内嵌され、各可動底壁部１２の上側且つ固定周壁部１１の内側の空間が容器収容空間１０となる。
【００３９】
位置調節機構１３は、センターコンソール１の表面側に操作可能に配置された１つの操作部１５と、センターコンソール１の内部に外部から隠蔽された状態に配設され、１対の可動底壁部１２を支持した状態で、操作部１５と１対の可動底壁部１２とを連動連結して操作部１５の操作量に応じた変位量だけ１対の可動底壁部１２を昇降させる１つの昇降機構２０とを備えている。
【００４０】
位置調節機構１３は、１対の可動底壁部１２の上下方向の位置を無段階的に調節して保持可能に構成され、この位置調節機構１３において、１つの操作部１５及び昇降機構２０は、１対の容器収容空間１０に共通に構成されている。
【００４１】
操作部１５は、１対の容器収容空間１０の間に配設されて、センターコンソール１に支軸１６を介して回動可能に支持されたダイヤル１５からなる。支軸１６は、センターコンソール１の内部に左右方向に水平に配設されてダイヤル１５に直結され、上壁６に軸受部材１６ａを介して回動自在に支持されている。ダイヤル１５の大部分がセンターコンソール１の内部に収容され、ダイヤル１５の上部が上壁６に形成された切欠穴６ａから外部へ露出している。
【００４２】
昇降機構２０は、１対の固定周壁部１１の外周外側に鉛直向きに配設されてセンターコンソール１に回動自在に支持され且つダイヤル１５に連動連結されたスクリューシャフト２１と、１対の可動底壁部１２に固定されスクリューシャフト２１が貫通状に螺合されるネジ孔２２ａを有する底壁支持部２２とを有し、ダイヤル１５とスクリューシャフト２１とを連動連結するために、支軸１６に取り付けられてダイヤル１５と一体的に支軸１６回りに回動する第１傘歯車２３と、スクリューシャフト２１の上端部に取り付けられ第１傘歯車２３と噛合された第２傘歯車２４とを有する。
【００４３】
スクリューシャフト２１は、１対の固定周壁部１１の間に配設されて、その上部と下部が一方の固定周壁部１１に軸受部２１ａ，２１ｂを介して回動自在に支持されている。底壁支持部２２は、１対の可動底壁部１２の間に配設されて左右方向に延び、１対の可動底壁部１２に一体形成され、可動底壁部１２の直径の１／３程度の前後幅を有する。
【００４４】
１対の固定周壁部１１の相対向する部分には上下方向に長く底壁支持部２２と略同じ前後幅を有するスリット１１ａが形成され、これらスリット１１ａに底壁支持部２２が上下動可能に挿通されて、その両端部が１対の可動底壁部１２に繋がっている。底壁支持部２２には、ネジ孔２２ａを形成するネジ孔形成部２２ｂが他の部分よりも厚く設けられ、スクリューシャフト２１にネジ孔２２ａを介して支持された底壁支持部２２、及び底壁支持部２２に固定の可動底壁部１２がガタつかないようにしている。
【００４５】
この位置調節機構３においては、ダイヤル１５が回動操作されると、昇降機構２０が作動し、第１，第２傘歯車２３，２４を介して、スクリューシャフト２１が回動して、底壁支持部２２が昇降され、この底壁支持部２２と一体的に１対の可動底壁部１２が同時に昇降される。ダイヤル１５を一方向に回動操作すると１対の可動底壁部１２を上昇させ、ダイヤル１５を他方向に回動操作すると１対の可動底壁部１２を下降させて、１対の可動底壁部１２の上下方向の位置を調節して１対の容器収容空間１０の深さを調節できる。
【００４６】
以上説明した容器保持装置３の作用、効果について説明する。
位置調節機構１３を設けたので、背の低い容器を収容する場合、可動底壁部１２の上下方向の位置を高くして、容器収容空間１０の深さを小さくし、背の高い容器を収容する場合、可動底壁部１２の上下方向の位置を低くして、容器収容空間１０の深さを大きくすることができる。
【００４７】
つまり、収容する容器の背の高さに応じて、可動底壁部１２を水平姿勢に保持して可動底壁部１２の上下方向の位置（容器収容空間１０の深さ）を調節して、収容された容器（収容容器）を容器収容空間１０の上側に適度に突出させて、収容容器の安定性を高めると共に収容容器を取り上げ易くし、収容容器がシフトレバー２の操作の邪魔にならないようにすることができる。
【００４８】
特に、位置調節機構１３において、昇降機構２０により、可動底壁部１２を支持した状態で、操作部１５と可動底壁部１２とを連動連結して、操作部１５の操作量に応じた変位量だけ可動底壁部１２を昇降させるため、操作部１５を操作することで、可動底壁部１２を水平姿勢に保持して可動底壁部１２の上下方向の位置を円滑に安定して調節でき、依って、可動底壁部１２を調節後の位置に水平姿勢に確実に保持して収容容器の安定性を高めることができる。
【００４９】
しかも、操作部１５をセンターコンソール１の表面側に操作可能に配置したので、操作性を良くして可動底壁部１２の上下方向の位置調節を簡単に行うことができ、昇降機構２０をセンターコンソール１の内部に外部から隠蔽した状態に配設したので、見栄えが良い外観としコンパクトな構造とすることができる。
【００５０】
位置調節機構１３を、可動底壁部１２の上下方向の位置を無段階的に調節して保持可能に構成したので、収容する容器の種々の背の高さに応じて、可動底壁部１２の上下方向の位置を適切な位置に確実に調節して、可動底壁部１２を調節後の位置に水平姿勢に確実に保持でき、対応可能な容器の背の高さ範囲を大きくすることができる。
【００５１】
操作部１５がセンターコンソール１に支軸１６を介して回動可能に支持されたダイヤル１５からなり、昇降機構２０は、固定周壁部１１の外周外側に鉛直向きに配設されてセンターコンソール１に回動自在に支持され且つダイヤル１５に連動連結されたスクリューシャフト２１と、可動底壁部１２に固定されスクリューシャフト２１が貫通状に螺合されるネジ孔２２ａを有する底壁支持部２２とを有するので、ダイヤル１５を回動操作することで、スクリューシャフト２１を回動させて、スクリューシャフト２１とネジ孔２２ａとのネジ機能により、可動底壁部１２を確実に昇降させ、可動底壁部１２が自重や収容容器の重さにより下降することを防止できるので、別途ストッパ手段を設けなくても、可動底壁部１２を調節後の位置に確実に保持できる。故に、操作性を高めることができ、構造を簡単化しコンパクトにすることができる。
【００５２】
支軸１６をセンターコンソール１の内部に水平に配設して、ダイヤル１５の上部を収容部材５の上壁６に形成された切欠穴６ａから外部へ露出させ、昇降機構２０は、ダイヤル１５と一体的に支軸回りに回動する第１傘歯車２３と、スクリューシャフト２１の上端部に取り付けられ第１傘歯車２３と噛合された第２傘歯車２４とを有するので、ダイヤル１５を操作し易く且つ見栄え良く配置でき、このダイヤル１５の水平軸心回りの回動をスクリューシャフト２１の鉛直軸心回りの回動に確実に変換できる。
【００５３】
１対の容器収容空間１０を並設状に複数設け、位置調節機構１３は、１対の容器収容空間１０に共通の１つの操作部１５及び昇降機構２０を有するので、１対の容器収容空間１０に対して位置調節機構１３の構造を簡単化し、共通の操作部１５を操作することで、１対の容器収容空間１０の可動底壁部１２を同時に昇降させて、これら１対の可動底壁部１２の上下方向の位置を一度に調節できる。
【００５４】
収容部材５を備え、その収容部材５に固定周壁部１１を一体形成すると共に、この収容部材５に、可動底壁部１２、位置調節機構１３（操作部１５と昇降機構２０）の全てを組み付けできるため、容器収容空間１０をコンパクトに構成でき、しかも、これらの組み付けを行った収容部材５をセンターコンソール１に装着することで、センターコンソール１に対して容器保持装置３を組み付けできるため、組付性が非常に良いものとなる。
【００５５】
尚、ダイヤル１５の近傍（上壁６の上面等）に、可動底壁部１２を上昇、下降させる為のダイヤル１５の回動操作方向を表示した表示部を設けること、更に、ダイヤル１５の近傍や固定周壁部１１の内面等に、可動底壁部１２の昇降位置（例えば、カミコップ、缶、ペットボトルに夫々対応する昇降位置）を表す表示部を設けることが好ましい。尚、位置調節機構１３において、１つの容器収容空間１０の可動底壁部１２を水平姿勢に保持して可動底壁部１２の上下方向の位置を調節可能に構成可能である。
【実施例２】
【００５６】
実施例２の容器保持装置３Ａは、実施例１の容器保持装置３の位置調節機構１３を変更したものである。その他の構造は実施例１と同様であり、実施例１と基本的に同じものには同一符号を付して説明する。
【００５７】
図４〜図６に示すように、容器保持装置３Ａの位置調節機構１３Ａは、センターコンソール１の表面側に操作可能に配置された１つの操作部３０と、センターコンソール１の内部に外部から隠蔽された状態に配設され、１対の可動底壁部１２を夫々支持した状態で、操作部３０と１対の可動底壁部１２とを夫々連動連結して操作部１５の操作量に応じた変位量だけ１対の可動底壁部１２を夫々昇降させる１対の昇降機構３１と、操作部３０を１対の昇降機構３１の何れかに択一的に又は同時に１対の昇降機構３１に接続するように切り換える接続切換機構３２とを有する。
【００５８】
位置調節機構１３Ａは、１対の可動底壁部１２の上下方向の位置を夫々無段階的に調節して保持可能に構成され、この位置調節機構１３Ａにおいて、１つの操作部３０は１対の容器収容空間１０に共通に構成され、１対の昇降機構３１は１対の容器収容空間１０に夫々に対応するように構成されている。位置調節機構１３Ａは、実施例１の収容部材５の上壁６と多少形状の異なる上壁６Ａを有する収容容器５Ａを備え、その収容部材５Ａに１対の固定周壁部１１が一体形成されている。
【００５９】
操作部３０は、１対の容器収容空間１０の間の後側に配設されて、センターコンソール１に１対の支軸３５を介して回動可能に支持されたダイヤル３０からなり、１対の支軸３５は、センターコンソール１の内部に左右に接近並設されて左右方向に水平に配設され、収容部材５Ａの上壁６Ａに夫々軸受部３５ａを介して回動自在に支持されている。ダイヤル３０の大部分がセンターコンソール１の内部に収容され、ダイヤル３０の上部が、上壁６Ａに形成された切欠穴６Ａａから外部へ露出している。
【００６０】
１対の昇降機構３１は左右対称に構成され、各昇降機構３１は、１対の固定周壁部１１の外周外側に鉛直向きに配設されてセンターコンソール１に回動自在に支持され且つダイヤル３０に連動連結されたスクリューシャフト４０と、対応する一方の可動底壁部１２に固定されスクリューシャフト４０が貫通状に螺合されるネジ孔４１ａを有する底壁支持部４１とを有し、ダイヤル３０とスクリューシャフト４０とを連動連結するために、支軸３５に取り付けられてダイヤル３０と一体的に支軸３５回りに回動する第１傘歯車４２と、スクリューシャフト４０の上端部に取り付けられ第１傘歯車４２と噛合された第２傘歯車４３とを有する。
【００６１】
各昇降機構３１において、スクリューシャフト４０は、対応する一方の固定周壁部１１の内側（他方の固定周壁部１１側）且つ後側に配設され、その上部と下部が一方の固定周壁部１１に軸受部４０ａ，４０ｂを介して回動自在に支持されている。１対の昇降機構３１の一方のスクリューシャフト４０は正ネジに形成され他方のスクリューシャフト４０は逆ネジに形成されている。底壁支持部４１は、一方の可動底壁部１２に一体形成され、一方の固定周壁部１１の中心とスクリューシャフト４０の中心を結ぶ水平な直線と平行に延びて、可動底壁部１２の直径の１／３程度の幅を有する。
【００６２】
固定周壁部１１の内側且つ後側部分には上下方向に長く底壁支持部４１と略同じ幅を有するスリット１１ｂが形成され、このスリット１１ｂに底壁支持部４１が上下動可能に挿通されて一方の可動底壁部１２に繋がっている。底壁支持部４１には、ネジ孔４１ａを形成するネジ孔形成部４１ｂが他の部分よりも厚く設けられ、スクリューシャフト４０にネジ孔４１ａを介して支持された底壁支持部４１、及び底壁支持部４１に固定の可動底壁部１２がガタつかないようにしている。
【００６３】
接続切換機構３２は、１対の支軸３５に夫々外嵌固定された１対のスプライン軸４５を有し、このスプライン軸４５にダイヤル３０を軸方向（左右方向）へスライド可能に外嵌状にスプライン係合させて、ダイヤル３０が左側のスプライン軸４５にだけ係合する左位置と、右側のスプライン軸４５にだけ係合する右位置と、左右両側のスプライン軸４５に係合する中位置とに切り換え可能に構成されている。尚、上壁６Ａの切欠穴６Ａａは、このダイヤル３０の左右方向へのスライドを許す形状に形成されている。
【００６４】
この位置調節機構３Ａにおいては、ダイヤル３０を左右方向へスライド操作して、左側の可動底壁部１２の上下方向の位置を調節したい場合には、ダイヤル３０を左位置に切り換え、右側の可動底壁部１２の上下方向の位置を調節したい場合には、ダイヤル３０を右位置に切り換え、左右１対の可動底壁部１２の上下方向の位置を同時に調節したい場合には、ダイヤル３０を中位置に切り換える。
【００６５】
そして、ダイヤル３０が回動操作されると、ダイヤル３０のスライド操作で選択した１対の昇降機構３１の一方又は両方が作動し、第１，第２傘歯車４２，４３を介して、スクリューシャフト４０が回動して、底壁支持部４１が昇降され、この底壁支持部４１と一体的に可動底壁部１２が昇降される。ダイヤル３０を一方向に回動操作すると可動底壁部１２を上昇させ、ダイヤル３０を他方向に回動操作すると可動底壁部１２を下降させて、可動底壁部１２の上下方向の位置を調節して容器収容空間１０の深さを調節できる。
【００６６】
この容器保持装置３によれば、１対の容器収容空間１０を並設状に設け、１対の容器収容空間１０に共通の１つの操作部３０と、１対の容器収容空間１０に夫々対応する１対の昇降機構３１と、操作部３０を１対の昇降機構３１の何れかに択一的に接続するように切り換える接続切換機構３２とを有するので、共通の操作部３０と１対の容器収容空間１０のうち所望の１つ容器収容空間１０に対応する昇降機構３１とを接続して、共通の操作部３０を操作することで、所望の１つの容器収容空間１０の可動底壁部１２の上下方向の位置だけを調節できる。
【００６７】
更に、接続切換機構３２を、操作部３０を同時に１対の昇降機構３１に接続するように切り換え可能に構成したので、共通の操作部３０を操作することで、１対の容器収容空間１０の１対の可動底壁部１２を同時に昇降させ、これら可動底壁部１２の上下方向の位置を一度に調節することもできる。その他は、実施例１と基本的に同様の効果を奏する。
【００６８】
尚、ダイヤル３０の近傍（例えば、上壁６Ａの上面等）に、１対の可動底壁部１２のうち昇降させる一方又は両方を選択するために、ダイヤル３０の左右方向の位置を表示した表示部を設けること、また、実施例１と同様に、ダイヤル３０の近傍に、可動底壁部１２を上昇、下降させる為のダイヤル３０の回動操作方向を表示した表示部を設けること、更に、ダイヤル３０の近傍や固定周壁部１１の内面等に、可動底壁部１２の昇降位置を表す表示部を設けることが好ましい。
【実施例３】
【００６９】
図８〜図１１に示すように、容器保持装置３Ｂは、センターコンソール１の上面から下方へ凹むように左右に並設された容器収容空間５０と、１対の容器収容空間５０を形成する合成樹脂製の１対の筒状の固定周壁部５１及び円板状の可動底壁部５２及び筒状の可動周壁部５３と、１対の可動底壁部５２及び可動周壁部５３を水平姿勢に保持して１対の可動底壁部５２及び可動周壁部５３の上下方向の位置を同時に調節可能な位置調節機構５４とを備えている。センターコンソール１には、実施例１と同様に、シフトレバー２が上方突出状に設けられ、シフトレバー２の後側に容器保持装置３Ｂが設けられている。
【００７０】
１対の固定周壁部５１は、センターコンソール１に一体形成され、それらの上端がセンターコンソール１の上壁１ａに繋がって下方へ延び、各固定周壁部５１は上側程大径化する２段のテーパ筒状に形成されている。１対の可動底壁部５２は１対の固定周壁部５１の下側に配設され、各可動底壁部５２は固定周壁部５１の下端の内周形状よりも大きな外周形状に形成されている。
【００７１】
各可動周壁部５３は、上側程大径化するテーパ筒状に形成され、可動底壁部５２の外周部に上方へ立ち上がるように固定されて、固定周壁部５１に重複状に遊嵌状に外嵌され、各可動底壁部５２の上側且つ可動周壁部５３及び固定周壁部５１の内側の空間が容器収容空間５０となる。
【００７２】
位置調節機構５４は、センターコンソール１の表面側に操作可能に配置された１つの操作部６０と、センターコンソール１の内部に外部から隠蔽された状態に配設され、１対の可動底壁部５２及び可動周壁部５３を支持した状態で、操作部６０と１対の可動底壁部５２とを連動連結して操作部６０の操作量に応じた変位量だけ１対の可動底壁部５２及び１対の可動周壁部５３を昇降させる１つの昇降機構７０とを備えている。
【００７３】
位置調節機構５４は、１対の可動底壁部５２の上下方向の位置を上位置と中位置と下位置の３段階に調節して保持可能に構成され、この位置調節機構５４において、１つの操作部６０及び昇降機構７０は、１対の容器収容空間５０に共通に構成されている。
【００７４】
操作部６０は、１対の容器収容空間５０の前側に配設されて、センターコンソール１の上壁１ａに左右方向に形成された長穴１ｃにスライド可能に係合してスライド方向（左右方向）へ細長いスライダ６１を有し、スライダ６１の長さ方向中央部に外部へ露出するノブ６２が設けられている。スライダ６１は、上壁１ａの長孔１ｃの下側に配設され、上壁１ａの下面側に形成されたガイド部６１ａに左右方向へスライド自在に係合支持されている。ノブ６２は下方へ突出する突出部６２ａを有し、この突出部６２ａが長穴１ｃに左右方向へスライド可能に係合されている。
【００７５】
昇降機構７０は、スライダ６１の下面に形成されたラック７１と、センターコンソール１に前後方向の水平軸心回りに回動自在に支持されてラック７１に噛合された左右１対のピニオン７２と、１対のピニオン７２の外周近傍部に夫々連結された１対の前後方向向きの水平なピンに相当するローラ７３と、１対のローラ７３が夫々係合する水平方向に長い１対の長孔７５を有し１対の可動底壁部５２に固定された合成樹脂製の底壁支持部７４とを有する。
【００７６】
スライダ６１は、ラック７１が１対のピニオン７２に噛合した常時状態でスライドすると共に、ノブ６２が上壁１ｂの上面において長穴１ｃに沿ってスライドし、上壁１ｂの長穴１ｃの左端位置と長さ方向中央位置と右端位置に対応する３部位にノブ６２を夫々保持可能に、ノブ６２は突出部６２ａを介して所定量だけ上下動可能に構成され、ノブ６２の下端部の係合部６２ｂがノブ６２の上下動により夫々係合解除可能に係合される３つの係合穴１ｄが上壁１ａに形成されている。
【００７７】
１対のピニオン７２は、上壁１ａの長孔１ｃの近傍部から下方へ一体的に延びる支持壁１ｅに１対の支軸７２ａを介して夫々回動自在に支持され、各ピニオン７２の外周近傍部に、ローラ７３が可動底壁部５２の方へ突出するように配設されて、ボルト７３ａとナット７３ｂにより回転自在に装着され、ノブ６２が長孔１ｃの左端位置のときに、１対のローラ７３が下限位置にとなり、１対の可動底壁部５２が下位置になる。
【００７８】
底壁支持部７４は、左右方向に長く、その左右両端部がセンターコンソール１の左右側壁に接近し、これら両側壁により左右方向へ移動不能に規制される。この底壁支持部７４に、１対の可動底壁部５２が載置支持された状態に固定され、底壁支持部７４の下面側に左右１対の長孔形成部７５ａが一体的に形成され、各長孔形成部７５ａに左右方向に長い長孔７５が形成されている。
【００７９】
この位置調節機構５４においては、ノブ６２によりスライダ６１が左右方向へスライド操作されると、昇降機構７０が作動し、１対のピニオン７２が回動して、底壁支持部７４が左右方向へは移動せずに昇降され、この底壁支持部７４と一体的に１対の可動底壁部５２が同時に昇降される。スライダ６１を一方向にスライド操作すると１対の可動底壁部５２を上昇させ、スライダ６１を他方向にスライド操作すると１対の可動底壁部５２を下降させて、ノブ６２を長孔１ｃの左端位置と長さ方向中央位置と右端位置の何れかの係合穴１ｄに係合させて、１対の可動底壁部１２の上下方向の位置を下位置と中位置と上位置の何れかに調節し保持して１対の容器収容空間１０の深さを調節することができる。
【００８０】
この容器保持装置３Ｂによれば、操作部６０がセンターコンソール１の上壁１ａに形成された長穴１ｃにスライド可能に係合してスライド方向へ細長いスライダ６１を有し、昇降機構７０は、スライダ６１の下面に形成されたラック７１と、センターコンソール１に水平軸回りに回動自在に支持されてラック７１に噛合された１対のピニオン７２と、これらピニオン７２の外周近傍部に夫々連結された１対の水平なローラ７３と、これらローラ７３が夫々係合する水平方向に長い１対の長孔７５を有し１対の可動底壁部５２に固定された底壁支持部７４とを有するので、スライダ６１をスライド操作することで、１対のピニオン７２を回動させて、１対の可動底壁部５２の水平方向の位置を変化させずに、１対の可動底壁部５２を確実に昇降させ、故に、操作性を高めることができる。
【００８１】
しかも、１対の可動底壁部５２の外周部に夫々上方へ立ち上がるように固定されて、１対の固定周壁部５１に夫々重複状に嵌合された１対の可動周壁部５３を有するので、固定周壁部側５１、可動周壁部５３、可動底壁部５２の間の隙間が露見することを防止できる。その他は、実施例１と基本的に同様の効果を奏する。
【００８２】
尚、スライダ６１の近傍（上壁１ａの上面等）に、可動底壁部５２を上昇、下降させる為のスライダ６１のスライド操作方向を表示した表示部を設けること、スライダ６１（ノブ６２）の位置に応じた、可動底壁部５２の昇降位置（例えば、カミコップ、缶、ペットボトルに夫々対応する昇降位置）を表す表示部を設けることが好ましい。尚、位置調節機構１３Ａにおいて、１つの容器収容空間５０の可動底壁部５２を水平姿勢に保持して可動底壁部５２の上下方向の位置を調節可能に構成可能である。
【実施例４】
【００８３】
図１２に示すように、この容器保持装置３Ｃは、センターコンソール１の上面から下方へ凹む容器収容空間８０と、容器収容空間８０を形成する合成樹脂製の円筒状の固定周壁部８１及び円板状の可動底壁部８２と、可動底壁部８２の上下方向の位置を調節可能な位置調節機構８３とを備え、固定周壁部８１はセンターコンソール１に一体形成され、可動底壁部８２は固定周壁部８１に昇降自在に内嵌されている。
【００８４】
位置調節機構８３は、可動底壁部８２を水平姿勢に保持して昇降自在にガイドするガイド機構８４と、可動底壁部８２を把持して昇降可能に操作する操作部８５と、固定周壁部８１の高さ位置が異なる３位置に内方突出状に且つ可動底壁部８２の外周部を夫々係止可能に形成された３組の複数の係止部８６〜８８（下係止部８６、中係止部８７、上係止部８８）と、可動底壁部８２の外周部に係止部８６〜８８が通過可能に形成された切欠部８９とを備えている。
【００８５】
ガイド機構８４は、可動底壁部８２の中心部に固定されて下方へ延びるガイドロッド８４ａと、センターコンソール１に固定されてガイドロッド８４ａが上下動自在に且つ回動自在に挿通されるガイド筒８４ｂとを有する。故に、可動底壁部８２は固定周壁部８１に対して昇降可能且つ回動可能になっている。操作部８５は可動底壁部８２に操作可能に設けられ、例えば、可動底壁部８２の上面中心部に取り付けられ紐材８５からなる。
【００８６】
固定周壁部８１の３つの高さ位置の各々に１対の係止部８６〜８８が固定周壁部８１の中心に対して対称に形成され、各高さ位置の１対の係止部８６〜８８は、他の高さ位置の１対の係止部８６〜８８に対して周方向にシフトした位置に配置され、可動底壁部８２の外周部には１対の切欠部８９が形成されている。尚、詳細には、下係止部８６に対して中係止部８７は周方向の一方向へ所定角度（例えば２０度程度）ずれて配置され、中係止部８７に対して上係止部８８は更に周方向の一方向へ所定角度ずれて配置されている。
【００８７】
この容器保持装置３Ｃにおいては、紐材８５を把持して、可動底壁部８２を昇降させ、このとき、可動底壁部８２を回動させて、可動底壁部８２の切欠部８９の位置と係止部８６〜８８の位置とを一致させて、可動底壁部８２の切欠部８９に係止部８６〜８８を通過させることができ、この可動底壁部８２の外周部を３組の係止部８６〜８８の何れかに係止させて、可動底壁部８２の上下方向の位置を下位置と中位置と上位置の何れかに調節して容器収容空間８０の深さを調節できる。
【００８８】
この容器保持装置３Ｃによれば、簡単な構造で、可動底壁部８２を水平姿勢に保持して可動底壁部８２の上下方向の位置を円滑に安定して調節でき、可動底壁部８２を調節後の位置に水平姿勢に確実に保持して収容容器の安定性を高めることができる。その他の基本的な効果は実施例１と同様である。尚、固定周壁部８１の高さ位置が異なる２又は４以上の複数位置に内方突出状に且つ可動底壁部８２の外周部を夫々係止可能な複数の係止部を形成してもよい。
【００８９】
尚、実施例４において、ガイド機構８４を省略し、固定周壁部８１の複数の高さ位置の各々に複数（例えば、３以上）の係止部を形成し、可動底壁部８２の外周部に各高さ位置の複数の係止部が通過可能な複数（例えば、３以上）の切欠部を形成してもよい。この場合、より簡単な構造にして、可動底壁部８２の上下方向の位置を簡単に調節でき、可動底壁部８２を調節後の位置に水平姿勢に確実に保持できる。
【００９０】
その他、実施例１〜４に開示した事項以外に種々の変更を付加して実施可能であり、センターコンソールを備えた種々の車両において、そのセンターコンソールにシフトレバーが突出状に設けられているか否かに関わらず、本発明の容器保持装置を適用可能である。
【図面の簡単な説明】
【００９１】
【図１】実施例１の容器保持装置を設けたセンターコンソールの斜視図である。
【図２】図１のII−II線断面図である。
【図３】図２のIII −III 線断面図である。
【図４】実施例２の容器保持装置を設けたセンターコンソールの斜視図である。
【図５】図４のＶ−Ｖ線断面図である。
【図６】図５のVI−VI線断面図である。
【図７】実施例３の容器保持装置を設けたセンターコンソールの斜視図である。
【図８】図７のVIII−VIII線断面図である。
【図９】図８のIX−IX線断面図である。
【図１０】容器保持装置の操作部を含む要部の斜視図である。
【図１１】操作部の下側からの斜視図である。
【図１２】実施例３の容器保持装置の斜視図である。
【符号の説明】
【００９２】
１  センターコンソール
１ａ，６，６Ａ  上壁
３，３Ａ，３Ｂ，３Ｃ  容器保持装置
１０，５０，８０  容器収容空間
１１，５１，８１  固定周壁部
１２，５２，８２  可動底壁部
１３，１３Ａ，５４，８３  位置調節機構
１５，３０，６０，８５  操作部
１６，３５  支軸
２０，３１，７０  昇降機構
２１，４０  スクリューシャフト
２２，４１，７４  底壁支持部
２２ａ，４１ａ  ネジ孔
２３，４２  第１傘歯車
２４，４３  第２傘歯車
３２  接続切換機構
５３  可動周壁部
６１  スライダ
７１  ラック
７２  ピニオン
７３  ローラ
７５  長孔
８４  ガイド機構
８６〜８８  係止部
８９  切欠部
【図１】
2007196884.tif 000003
【図２】
2007196884.tif 000004
【図３】
2007196884.tif 000005
【図４】
2007196884.tif 000006
【図５】
2007196884.tif 000007
【図６】
2007196884.tif 000008
【図７】
2007196884.tif 000009
【図８】
2007196884.tif 000010
【図９】
2007196884.tif 000011
【図１０】
2007196884.tif 000012
【図１１】
2007196884.tif 000013
【図１２】
2007196884.tif 000014